(57)【要約】      （修正有）【課題】熟睡し易い枕を提供する。【解決手段】平面形状が左右方向に長尺状の長方形であると共に、側面形状が、円弧面が下側となる半円状であり、上面の略中央部に、睡眠者の頭部が載置される楕円弧状の窪み部１１を形成し、窪み部１１の左右両端部から左右方向に前記睡眠者のこめかみ部分や頬骨部分が載置される凹部１２を連設した木製の半円柱状本体部１０と、本体部１０の少なくとも上面に設けられる軟質材製のシート部２０と、シート部２０の少なくとも上面を覆う繊維製のカバー３０とを設けて構成する。【選択図】図２
0003193606.tif 000002
【実用新案登録請求の範囲】
【請求項１】
平面形状が左右方向に長尺状の長方形であると共に，側面形状が，円弧面が下側となる半円状であり，上面の略中央部に，睡眠者の頭部（Ｋ）が載置される楕円弧状の窪み部（１１）を形成した木製の半円柱状本体部（１０）と、前記本体部の少なくとも前記上面に設けられる軟質材製のシート部（２０）と、前記シート部の少なくとも上面を覆う繊維製のカバー（３０）と、を備えることを特徴とする睡眠用枕。
【請求項２】
平面形状が左右方向に長尺状の長方形であると共に，側面形状が，円弧面が下側となる半円状であり，上面の略中央部に，睡眠者の頭部（Ｋ）が載置される楕円弧状の窪み部（１１）を形成し，前記窪み部の左右両端部から左右方向に前記睡眠者のこめかみ部分や頬骨部分が載置される凹部（１２）を連設し、更にその外側に横向きのとき耳部の当たる浅溝部（１３）を連設した木製の半円柱状本体部（１０）と、前記本体部の少なくとも前記上面に設けられる軟質材製のシート部（２０）と、前記シート部の少なくとも上面を覆う繊維製のカバー（３０）と、を備えることを特徴とする睡眠用枕。
【考案の詳細な説明】
【技術分野】
【０００１】
本考案は、睡眠用の枕に関するものである。
【背景技術】
【０００２】
良好な睡眠をとるために、枕は極めて重要な役目を担っている。枕によって睡眠の中身が大きな影響を受けるからである。すなわち、良い枕を使用すると熟睡することができ、翌日の労働や勉学の活力を得ることができ、その逆に、悪い枕を使用するとそれによって睡眠が妨げられ、翌日の労働や勉学に支障を来たす。
【０００３】
こうしたことから、これまでにあらゆる種類の枕が創案されてきた（例えば、特許文献１参照）。この文献１に記載の枕は、一般的な枕と同様に、その全体が軟質材料で構成され、睡眠時における頭部の重量によって弾性的な変形を行う。
【先行技術文献】
【特許文献】
【０００４】
【特許文献１】特開２０１４−０５４３９０号公報
【考案の概要】
【考案が解決しようとする課題】
【０００５】
しかし、上記した文献に記載のものを含む従来の枕は、全体が軟質材料で構成されていることからどの部分も柔軟に変形する。従って、寝返りを打つことによって頭部が枕から滑り落ちてしまい、睡眠が妨げられることが多々ある。
【０００６】
また、その全体が軟質材であるため、頭部あるいは顔に必要以上に密着し、特に、夏期においては体温の熱が蓄積されて睡眠の妨げとなり易い。
【０００７】
本考案はこうした問題に鑑み創案されたもので、熟睡し易い枕を提供することを課題とする。
【課題を解決するための手段】
【０００８】
図１乃至図１１を参照して説明する。請求項１に記載の睡眠用枕１は、平面形状が左右方向に長尺状の長方形であると共に、側面形状においては、円弧面が下側となる半円状であり、上面の略中央部に、睡眠者の頭部Ｋが載置される楕円弧状の窪み部１１を形成した木製の半円柱状本体部１０と、前記本体部１０の少なくとも前記上面に設けられる軟質材製のシート部２０と、前記シート部２０の少なくとも上面を覆う繊維製のカバー３０とを備える。
【０００９】
請求項２に記載の睡眠用枕１は、平面形状が左右方向に長尺状の長方形であると共に、側面形状が、円弧面が下側となる半円状であり、上面の略中央部に、睡眠者の頭部Ｋが載置される長楕円弧状の窪み部１１を形成し、前記窪み部１１の左右両端部から左右方向に前記睡眠者のこめかみ部分や頬骨部分が載置される凹部１２を連設し、更にその外側に横向きのとき耳部の当たる浅溝部１３を連設した木製の半円柱状本体部１０と、前記本体部１０の少なくとも前記上面に設けられる軟質材製のシート部２０と、前記シート部２０の少なくとも上面を覆う繊維製のカバー３０とを備える。
【考案の効果】
【００１０】
請求項１に記載の睡眠用枕１は、上面の略中央部に睡眠者の頭部Ｋが載置される楕円弧状の窪み部１１を形成した木製の半円柱状本体部１０と、前記上面に設けられる軟質材製のシート部２０と、繊維製のカバー３０とを備えるので、睡眠者は熟睡し易い。
【００１１】
すなわち、本体部１０の略中央部に形成した窪み部１１に睡眠者の頭部Ｋを載置させることにより、当該頭部Ｋの姿勢を窪み部１１の中で常に安定させることができる。従って、頭部Ｋが枕１から滑り落ちて睡眠が妨げられるといった事態を未然に防止するため、睡眠者は熟睡し易い。
【００１２】
また、本体部１０の側面形状が、円弧面が下側となる半円状であるため、睡眠者の頭部Ｋの動きによって前後に自在に回動する。これによっても、睡眠者の頭部Ｋが枕１から滑り落ちるのを未然に防止して、睡眠が妨げられるという事態を防止することができる。
【００１３】
さらに、本体部１０が木製であるため睡眠者の頭部Ｋや顔に必要以上に密着せず、従って、体温の熱が効果的に放散される。その結果、蓄積された熱によって睡眠が妨げられることもない。
【００１４】
なお、本体部１０の上面には軟質材製のシート部２０を設けているので肌触りが良く、従って、睡眠者はより熟睡することができる。さらに、シート部２０の上面を繊維性のカバー３０で覆うので、当該枕１を清潔に保つことができる。
【００１５】
請求項２に記載の睡眠用枕１は、請求項１に記載の考案と同様に、木製の半円柱状本体部１０と軟質材のシート部２０と繊維性のカバー３０を備えるので、睡眠者はこの枕１を使用することで熟睡し易い。
【００１６】
また、窪み部１１の左右両端部から左右方向に前記睡眠者のこめかみ部分や頬骨部分が載置される凹部１２を連設したので、睡眠者が横向きの姿勢をとった場合に、そのこめかみ部分や頬骨部分が凹部１２に載置される。従って、やや突出した部分であるこめかみ部分や頬骨部分が本体部１０に当たって睡眠が阻害されることがなく、睡眠者は横向きでも熟睡することができる。
【図面の簡単な説明】
【００１７】
【図１】本考案に係る睡眠用枕の実施形態を示す分解斜視図である。
【図２】本考案に係る睡眠用枕の実施形態を示す一部切欠平面図である。
【図３】図２に示す睡眠用枕の一部切欠正面図である。
【図４】図２に示す睡眠用枕の側面図である。
【図５】図２のＴ−Ｔ断面図である（本体部のみを示す）。
【図６】図２のＷ−Ｗ線断面図である（本体部のみを示す）。
【図７】本発明に係る睡眠用枕におけるカバーの留め方を示す底面図である。
【図８】本体部の一実施例の平面図である。
【図９】図８のＸ−Ｘ断面要部図である。
【図１０】図８のＹ−Ｙ断面要部図である。
【図１１】図８のＺ−Ｚ面要部図である。
【考案を実施するための形態】
【００１８】
本考案に係る睡眠用枕１の実施形態を図１乃至図７に示す。この睡眠用枕１は、本体部１０とシート部２０とカバー３０を備える。
【００１９】
本体部１０は、外径２０〜３０ｃｍの丸太（木材）を４０〜５０ｃｍに切断し、その中心軸に沿って半円柱状に二つに裁断したものである。従って、平面形状が左右方向に長尺状の長方形で、側面形状が半円状であり、その円弧面を下側にして敷布団あるいはベッドの上面に載置した状態で使用する。この本体部１０を構成する木材の種類は限定されないが、例えば、杉や檜を使用することによって木材の香りを睡眠に利用することができる。
【００２０】
この本体部１０の上面の中央部には、睡眠者の頭部Ｋが載置される球弧状の窪み部１１を形成している。この窪み部１１の大きさは、睡眠者の頭部Ｋの下面部分が進入できる程度に設定されるもので、例えば、短径を１０〜２０ｃｍの略楕円形とし、その最深部の深さを１〜５ｃｍ程度に設定することができる。
【００２１】
また、窪み部１１の左右両端部のそれぞれから左右両方向に睡眠者のこめかみ部分や頬骨部分が載置される凹部１２を連設している。この凹部１２の大きさは、睡眠者のこめかみ部分や頬骨部分が進入できる程度に設定されるものであり、平面楕円形状でその深さは窪み部１１よりやや浅く設定することができる。更に凹部１２の外側には横向きのとき耳部の当たる浅溝部１３が連設してある。
【００２２】
シート部２０は、本体部１０の少なくとも上面に設けられる軟質材製である。本実施形態では、本体部１０の上面と、前面および後面の上端部にわたって取り付けている。当該軟質材の種類は限定されないが繊維材（例えば、フェルト材）が好適である。このシート部２０の肉厚も限定されないが、睡眠者に本体部１０の硬さを直に感じさせない程度（例えば、１〜２ｃｍ）が好ましい。このシート部２０は本体部１０に接着剤によって貼付けたり、ピンなどを使用して固定することができる。
【００２３】
なお、当該シート部２０には複数の切込み部２１を形成し、この切込み部２１によって変形し易くして本体部１０により密着させると共に、カバー３０に対する摩擦効果を高めてカバー３０の滑りを防止している。本実施形態における切込み部２１は、窪み部１１に対向する部分と前後両端部に形成しているが、これに限定されるものではない。
【００２４】
カバー３０は木綿などの繊維性であり、本体部１０とシート部２０との一体物の上面，前面，底面および後面を覆い包むように、かつ着脱自在に覆って、安全ピンなどの固定ピン３１で留めている（図７（ａ）参照）。なお、このカバー３０の形態は限定されるものではなく、例えば、ゴム材３２を使用して容易に着脱できる形態とすることもできる（図７（ｂ）参照）。
【００２５】
本実施形態に係る睡眠用枕１は、以下の作用効果を発揮する。
（イ）  本体部１０の中央部に形成した窪み部１１に睡眠者の頭部Ｋを載置させるので、当該頭部Ｋの姿勢を窪み部１１の中で常に安定させることができる。従って、頭部Ｋが枕１から滑り落ちて睡眠が妨げられるのを未然に防止することができので、上向き姿勢で熟睡することができる。
【００２６】
（ロ）  窪み部１１に連設して、その左右両端部から左右方向に睡眠者のこめかみ部分や頬骨部分が載置される凹部１２を連設しているので、睡眠者が横向きの姿勢をとった場合にそのこめかみ部分や頬骨部分を凹部１２に載置することができる。これにより、やや突出した部分であるこめかみ部分や頬骨部分が本体部１０に当たるので、横向き姿勢でも熟睡することができる。
【００２７】
（ハ）  本体部１０の側面形状が半円状とし、その円弧面を下側としているので、本体部１０（枕１）が睡眠者の頭部Ｋの動きによって前後に自在に回動する。この回動変位によって、睡眠者の頭部Ｋを枕１からの滑り落ちを防止して安定して支持し、睡眠が妨げられるという事態を防止することができる。
【００２８】
（ニ）  本体部１０を木製とし、その上面に睡眠者の頭部Ｋが載置される球弧状の窪み部１１を形成したので、枕１が睡眠者の頭部Ｋや顔に必要以上に密着しない。これによって、体温の熱を効果的に放散することができるので、特に夏期において、蓄積された熱によって睡眠が妨げられるといった事態を未然に防ぐことができる。
【００２９】
（ホ）  本体部１０の上面に軟質材製のシート部２０を設けているので肌触りが良く、睡眠者はより良い睡眠を得ることができる。
【００３０】
（へ）  シート部２０の上面を繊維性のカバー３０で覆うので、当該カバー３０を交換することにより、当該枕１を清潔に保つことができる。
【００３１】
（ト）  本体部１０を檜などで構成することにより、芳香剤としての働きを持たせることができる。
【００３２】
（チ）  本体部１０にアロマオイルなどの睡眠導入剤を塗布することによって、快適な睡眠をさらに促進することができる。
【実施例】
【００３３】
本体部１０の具体例を図８乃至図１１に示す。図８において二点鎖線は深さ寸法のみを示し、滑らかな円弧面上につけてある。図８のＡは本体部１０の基準となる最上面，Ｂは傾斜縁，Ｃは頭部が横向きのとき耳部の当たる段部，Ｄは頭部が斜め下向きのときに顔斜め前面が当たる傾斜部，Ｆ〜Ｈは顔を上向きにして寝たとき頭部の背面が当たる凹部であり、ＡからＨに向かって徐々に深くなっている。人体の頭部のサイズによって、Ｂ〜Ｈの値は異なるが、Ｃは８ｍｍ，Ｄは２０ｍｍ，Ｅは２２ｍｍ、Ｆは２３ｍｍ、Ｇは２４ｍｍ程度、Ｈは２５ｍｍ程度である。
【符号の説明】
【００３４】
１        睡眠用枕
１０      本体部
１１      窪み部
１２      凹部
１３      浅溝部
２０      シート部
２１      切込み部
３０      カバー
３１      固定ピン
３２      ゴム材
Ｋ        頭部
【図１】
0003193606.tif 000003
【図２】
0003193606.tif 000004
【図３】
0003193606.tif 000005
【図４】
0003193606.tif 000006
【図５】
0003193606.tif 000007
【図６】
0003193606.tif 000008
【図７】
0003193606.tif 000009
【図８】
0003193606.tif 000010
【図９】
0003193606.tif 000011
【図１０】
0003193606.tif 000012
【図１１】
0003193606.tif 000013